(57)【特許請求の範囲】
【請求項１】
可動家具部分（２）用の駆動装置（１）であって、
閉位置（ＳＳ）から開位置（ＯＳ）へ前記可動家具部分（２）を駆出するための二つの駆出装置（３）を備え、前記駆出装置（３）は前記可動家具部分（２）の両側に配置されており、それぞれの駆出装置（３）は、
ロック位置（ＶＳ）に前記駆出装置（３）をロックするためのバネ装填されたロック要素（４）と、
駆出セクション（１０）と、前記駆出セクション（１０）に対して角度付けされた端部セクション（６）と、を備えたガイドトラック（５）であって、前記ロック要素（４）を前記ロック位置（ＶＳ）にて前記角度付けされた端部セクション（６）にロックすることができるガイドトラック（５）と、
前記ロック要素（４）とは別体である解除要素（７）であって、前記可動家具部分（２）が過押込みされたとき、前記ロック要素（４）を、前記解除要素（７）によって前記角度付けされた端部セクション（６）から閉位置（ＳＳ）の後方に存在する過押込み位置（ＵＳ）に解除することができる解除要素（７）と、を備え、
前記駆動装置（１）は、二つの前記駆出装置（３）の前記解除要素（７）を同期させることができる同期装置（８）をさらに備える、
駆動装置。
【請求項２】
それぞれの前記駆出装置（３）はハウジング（９）を備える、請求項１記載の駆動装置。
【請求項３】
前記ガイドトラック（５）はそれぞれ前記ハウジング（９）内に形成されている、請求項２記載の駆動装置。
【請求項４】
前記解除要素（７）は、それぞれが可動に、前記ハウジング（９）に支持されている、請求項２または３に記載の駆動装置。
【請求項５】
二つのベアリング位置（１１）がそれぞれの前記解除要素（７）に形成されており、前記同期装置（８）の同期ロッド（１２）はこれらの前記ベアリング位置（１１）で回転可能に支持されている、請求項１から４のいずれか１項に記載の駆動装置。
【請求項６】
前記ロック要素（４）はそれぞれ、前記ガイドトラック（５）内にスライド可能に支持されている、請求項１から５のいずれか１項に記載の駆動装置。
【請求項７】
前記可動家具部分（２）を開位置（ＯＳ）から前記閉位置（ＳＳ）へ引き込むための引込装置（１４）を備えている、請求項１から６のいずれか１項に記載の駆動装置。
【請求項８】
家具筐体（１６）、可動家具部分（２）および請求項１から７のいずれか１項に記載の駆動装置（１）を備えた家具（１５）。
【請求項９】
前記駆動装置（１）は前記可動家具部分（２）の下側に配置されている、請求項８記載の家具。
【請求項１０】
それぞれの駆出装置（３）は前記家具筐体（１６）に固定されている係合部材と駆出スライダ（１７）を介して連結できる、請求項８または９記載の家具。
【発明の詳細な説明】
【技術分野】
【０００１】
本発明は、可動家具部分の駆動装置に関し、この駆動装置は、閉位置から開位置へ可動家具部分を駆出するための二つの駆出装置を備えており、これらの駆出装置は可動家具部分の両側に配置されており、それぞれの駆出装置は、ロック位置で駆出装置をロックするためのバネ装填されたロック要素と、角度付けされた端部セクション（有角端セクション）を含むガイドトラックであって、ロック要素をラッチ位置でその角度付けされた端部セクションにロックすることができるガイドトラックと、ロック要素とは別に提供されている解除要素であって、可動家具部分が過押込みされたとき、ロック要素を、解除要素によって、角度付けされた端部セクションから閉位置の後方に存在する過押込み位置まで移動することができる解除要素と、を備える。さらに、本発明はそのような駆動装置を有する家具にも関する。
【背景技術】
【０００２】
そのような駆動装置は、ＤＥ１０２０１００６１４８２Ａ１に開示されている。これは主に、可動家具部分の開閉動作に関し、駆出装置のロック作用はガイド経路の角度付けされた端部セクションにおいて実行される。この知られた開閉装置と駆動装置は、それぞれ特に幅広の引出しに利用されているときに不都合であり、傾きや片側でのロック解除が片側起動または引出しの過押込みによって生じることがある。これは家具筐体内での引出しの望ましくない動作不良につながることがある。
【先行技術文献】
【特許文献】
【０００３】
【特許文献１】ＤＥ１０２０１００６１４８２Ａ１
【特許文献２】ＥＰ１３１４８４２Ｂ１
【特許文献３】ＷＯ２００９／１１４８８４Ａ２
【特許文献４】ＥＰ２４２９３３９Ｂ１
【特許文献５】ＷＯ２０１３／０５９８４７Ａ１
【特許文献６】ＤＥ２０２００９００５２５５Ｕ１
【特許文献７】Ａ７８５／２０１３
【発明の概要】
【０００４】
したがって本発明の目的の一つは、これらの問題を防止することである。このため、本発明は同期装置にも関する。
【０００５】
一般的に、従来技術から多様な同期装置が既に知られている。同期化駆出装置の第１例は、ＥＰ１３１４８４２Ｂ１に開示されており、これによれば係合解除レバー同士は互いに同期的に接続されており、遊びがない。（ロック要素を形成する）ノッチ延出部がこれらの係合解除レバーに配設されている。これらノッチ延出部は、ノッチ延出部用の一種のガイド経路を形成するラッチ内でロックされる。ノッチ延出部のラッチからのロック解除は、過押し込みされた時のこれら二部材の相対動作によって発生する。ラッチまたはノッチ延出部とは別の解除要素は存在しない。
【０００６】
同期ユニットを備えた別のロック可能な駆出装置は、ＷＯ２００９／１１４８８４Ａ２に開示されている。ここでは、受領要素上に形成された延出部は、ハート状曲線形のスライドガイドトラック内で可動でありロック可能である。さらにこの実施態様では、ロック解除は過押し込みされた時にこれら二つのコンポーネント（部材）の相対動作によって実行され、そこで駆出力保存手段が弛緩されて可動家具部分が開方向に駆出される。
【０００７】
さらに、ＥＰ２４２９３３９Ｂ１によれば、ロックはハート状曲線形のスライドガイドトラックを介して実行され、可動スライダ上に支持されているラッチ要素がそのハート状曲線形のスライドガイドトラックと係合する。さらにここで、ロック解除はハート状曲線形のスライドガイドトラックへのラッチ要素の相対動作によって実行される。同期は直線状に可動なスライダの連結動作によって実行される。
【０００８】
この種の別なロック形態は、ＷＯ２０１３／０５９８４７Ａ１に開示されている。
【０００９】
一方、ＤＥ２０２００９００５２５５Ｕ１は、特定の機械的同期装置が存在しない同期を開示している。むしろ同期は、引出しを介した他方側への力伝達によって実行され、未解除状態のロック要素が引張方向への駆出力保存手段の二重作用力によって解除される。よって、ここでもロック解除は切替曲線部に対する切替要素の動作によって実行される。
【００１０】
別の同期方法は、公開前オーストリア特許出願Ａ７８５／２０１３に開示されている。ここでは、他方の駆出装置の駆出が既に始まっているとき、未解除の駆出装置のガイドトラックの一部が同期装置を介して移動されると、同期は過押込み動作後でのみ行われ、ラッチ凹部内にロックされているラッチペグがハート状曲線形のスライドガイドトラックのこのラッチ凹部から引き出されることができる。このようにしてここでも、ロック解除はハート状曲線形のスライドガイドトラックとラッチペグとの間の相対動作によって実行される。
【００１１】
当業者が、知られたＤＥ１０２０１００６１４８２Ａ１の知られた同期装置を利用する目的を有しているなら、この当業者は、例えばロック要素の動作、駆出装置の動作、または二つの駆出装置のガイドトラックの部材の動作を同期させるため、この従来技術から教示を得ることができるだろう。
【００１２】
ＤＥ１０２０１００６１４８２Ａ１による駆動装置の場合には、本発明による引出しの傾きを防止するという目的は、二つの駆出装置の解除要素が同期装置で同期できることで達成される。このように、とりわけ、ロック要素およびガイドトラックとは別の解除要素がこれら従来技術の全ての同期装置には存在しないので、前述の文献の組み合わせからは自明ではない同期の可能性が提供される。
【００１３】
別の好適実施態様は従属請求項に記載されている。
【００１４】
例えば、それぞれの駆出装置がハウジングを備えることが好適である。簡単に組み立てるため、ガイドトラックはそれぞれハウジング内に形成されている。さらに簡単な駆出動作のため、それぞれのガイドトラックは角度付けされた端部セクション（角度付けされた端部分）の他に駆出セクション（駆出部分）を備えている。
【００１５】
基本的には、解除要素は直線状に移動可能である。しかしながら特に好適には、解除要素はそれぞれ可動に、好適には旋回可能に、ハウジングに支持されている。
【００１６】
解除要素の同期は、例えば、回転可能な同期ロッドの端部に形成されたスプロケットを介して、解除要素に形成された歯付ロッドと係合する回転可能な同期ロッドを介して実行できる。しかしながら好適には、二つのベアリング位置（ベアリング配置部、支持体配置部）がそれぞれの解除要素に形成されており、同期装置の同期ロッドはこれらベアリング位置に回転可能に支持されている。特に好適には、一方の解除要素の回転動作が他方の解除要素の逆の回転動作に変換されるよう、これら同期ロッドはクロスオーバー（交差）状に配置されている。
【００１７】
ロック要素を簡単にガイドするため、ロック要素はそれぞれ二つのペグ（くぎ）形状の延出部を介してガイドトラック内にスライド可能に支持されている。
【００１８】
原則的に、駆動装置は、二つの駆出装置および同期装置のみから構成される。しかしながら、さらに変形例では、好適には減衰形態で、可動家具部分を開位置から閉位置へ引き込むための引込装置が好適には追加的に提供される。
【００１９】
さらに特許保護は、家具筐体、可動家具部分および本発明による駆動装置を備えた家具にも請求される。そのような家具では、駆動装置は家具筐体と連携できる。すなわち二つの駆動装置は、可動家具部分の両側に、例えば家具筐体に直接、または延出ガイドの筐体レールに取り付けられる。しかしながら好適には、駆動装置は可動家具部分の下側に配置されており、それぞれの駆出装置は家具筐体に固定されている係合部材と駆出スライダを介して一部分で連結できる。これは、駆動装置がいわばそれ自体を家具筐体に固定されている係合部材から遠ざける（押し離す）ことを意味している。これらの実施態様では、引込装置は延出ガイドに一体化され得る。
【００２０】
本発明のさらなる詳細および利点は、図面に示された実施例と関連する詳細な説明によって以下でさらに詳説される。
【図面の簡単な説明】
【００２１】
【図１ａ】図１ａは、可動家具部分と駆動装置とを備えた家具を示している。
【図１ｂ】図１ｂは、駆動装置を備えた可動家具部分を示している。
【図２】図２は、駆動装置の分解図である。
【図３】図３は、組み立てられた駆動装置の三次元図（斜視図）である。
【図４−１４】図４から図１４は、駆動装置の動作の機能の連続を平面図で示している。
【発明を実施するための形態】
【００２２】
図１ａは、家具筐体１６と、引出しとして構築された二つの可動家具部分２とを備えた家具を示している。これらの引出しは、引出し箱２２と前方パネル２１とをそれぞれ備えている。可動家具部分２は延出ガイドを介して家具筐体１６に可動に支持されている。これらの延出ガイドは、少なくとも一つの筐体レール１９と、一つの引出しレール２０とを備えている。駆動装置１は可動家具部分２の底部に配置されている。駆動装置１は可動家具部分２の両側に配置された二つの駆出装置３と、同期装置８とを備えている。係合部材１８が筐体レール１９に配置されている。
【００２３】
図１ｂは、可動家具部分２に少なくとも部分的に取り付けられている駆動装置１を備えた可動家具部分２の底部を示している。この駆動装置１は開位置ＯＳから閉位置ＳＳへと可動家具部分２を引き込むための引込装置１４も備えており、この引込装置１４は延出ガイド内または延出ガイドに配置されている。この実施例では、引込装置１４は引出しレール２０に取り付けられており、筐体レール１９に配置された係合部材１８に連結され得る。さらに、保持プレート３７を介した筐体レール１９での係合部材１８の取り付けも示されている。
【００２４】
図２では、駆動装置１を部分的分解図で明示している。この図２で既に明らかなように、二つの駆出装置３はそれぞれ鏡面対称に形成されている。しかしながら基本的には、当然ながら二つの駆出装置３の間には、少々の差異が存在していてもよい。しかしながら簡単に製造するため、これら駆出装置３は同一形状または正確な鏡面対称に形成される。それぞれの駆出装置３は、可動家具部分２に取り付け可能なハウジングを備えている。駆出セクション１０と角度付けされた端部セクション６とを備えたガイドトラック５がこのハウジング９内に形成されている。さらにロック要素４に形成された延出部２９のためのガイドトラック３０と、駆出スライダ１７のためのガイドトラック２５とがハウジング９内に形成されている。駆出スライダ１７はこのガイドトラック２５に沿って直線状に移動可能である。駆出スライダ１７は連結延出部２３を備え、駆出装置３は、連結延出部２３を介して、家具筐体に固定されている係合部材１８にそれぞれ連結され得る。デテント（移動止め）２７は各駆出スライダ１７に圧縮バネ２８を介して移動可能に支持されている。ロック要素４は二つの延出部１３を介してガイドトラック５内に移動可能に支持されている。ロック要素４の他の延出部２９はガイドトラック３０内に係合する。引張バネとして形成されている駆出力保存手段２４は、一方側はロック要素４の延出部２９に保持され、他方側はハウジング９に形成されたバネベース３３に保持されている。解除要素７はガイドトラック５およびロック要素４とは別に形成されている。解除要素７もガイドトラック５およびロック要素４に対して移動可能である。解除要素７はハウジング９内に形成された凹部３５内に回転ベアリング（回転支持部）３１を介して回転可能に支持されている。さらに、ベアリング位置１１が各解除要素７に形成されており、そこでベアリング位置１１と同期ロッド１２の延出部３２とが係合する。同期装置９は、解除要素７のベアリング位置１１と協調する延出部３２を備えたこれら同期ロッド１２によって構築されている。緩衝要素２６は、ロック要素４の駆出動作を円滑に減速または緩衝するように作用する。
【００２５】
図３では、駆動装置１は弛緩された力保存手段２４の場合での組み立てられた状態で示されている。ここで明らかなように、二つの同期ロッド１２は異なる高さである交差状態で配置されている。
【００２６】
図４による駆動装置１の平面図は、図３による三次元図に対応している。この駆動装置１が可動家具部分２の下側に配置されている場合には、図４によれば、家具筐体に固定されている概略的に図示された係合部材１８へはまだ接触していない。よって、可動家具部分２は開位置ＯＳに位置している。
【００２７】
可動家具部分２が、図４による位置から閉方向ＳＲに手動で移動されると、二つの駆出スライダ１７の連結延出部２３は係合部材１８とそれぞれ接触する。これらの係合部材１８は不動であるので、駆出スライダ１７はハウジング９に対して移動される。さらにロック要素４もノーズ（突出部）３４を介して駆出スライダ１７に形成されたデテント２７に当接するので、ロック要素４もガイドトラック５に沿ってハウジング９に対して移動される。力保存手段２４はロック要素４の延出部２９に保持されているので、力保存手段２４は閉方向ＳＲへのこの動作の場合には引っ張られる。
【００２８】
図６では、この引っ張り過程がさらに継続している。可動家具部分２はまだ開位置ＯＳに存在している。
【００２９】
図７によれば、可動家具部分２の閉方向ＳＲへの動作がさらに継続しており、そして、ロック要素４がガイドトラックの角度付けされた端部セクション６に到達する。角度付けされた端部セクション６に到達すると、二つのロック要素４がそれぞれ解除要素７に接触し、その結果、これらの解除要素７はそれに対応して回転ベアリング３１周囲で回転する。解除要素７のこれらの回転動作は同期装置８によって同期される。
【００３０】
図８では、ロック要素４は、ガイドトラック５の角度付けされた端部セクション６の端部に到達している。これによって、ロック要素４は延出部１３の傾斜と摩擦によってガイドトラック５内に保持される。よって、力保存手段２４は弛緩できない。ロック要素４のこの位置では、二つの駆出装置３はそれぞれロック位置ＶＳに存在している。図８によれば、引込装置１４（図示せず）によって、二つの駆出スライダ１７は、可動家具部分２の閉位置ＳＳに到達するまで既に閉方向ＳＲにさらに移動されている。この閉位置ＳＳでは、デテント２７は解除要素７の延出部３６にそれぞれ当接している。
【００３１】
可動家具部分２が図８に示されるこの閉位置ＳＳから始まり閉方向ＳＲへと過押込みされると、可動家具部分２は図９に示すように過押込み位置ＵＳに到達する。この過押し込み位置ＵＳでは、駆出スライダ１７は、家具筐体に固定された係合部材１８との協調によってハウジング９に対してさらに移動され、その結果、解除要素７が、延出部３６を介して回転ベアリング３１周囲でデテント２７によって回転される。ここで、この過押込み動作の場合に、可動家具部分２が片側でのみ押し込まれた場合には、この側でのみ解除要素７がデテント２７によって能動的（アクティブ）に移動または回転される。しかし、それでも、解除要素７の動作は毎回反対側でも実行される、すなわち二つの同期ロッド１２を介した同期動作によっても実行される。過押込み動作によって起動される二つの解除要素の回転動作に伴い、両方のロック要素４はほぼ同時に、よって角度付けされた端部セクション６から同期的に移動または解除される。したがって、ロック位置ＶＳは設定されておらず、ロック要素４はもはや角度付けされた端部セクション６に保持されず、二つの力保存手段２４は弛緩し始めることができる。
【００３２】
図１０に示すこの駆出過程によって、ロック要素４はガイドトラック５の駆出セクション１０に沿って移動される。また駆出スライダ１７はノーズ３４を介して運ばれ、その結果、駆出装置３は筐体に固定された係合部材１８から自身を遠ざける。よって可動家具部分２は、開方向ＯＲに移動され、可動家具部分２は開位置ＯＳに再び到達する。また引込装置１４（図示せず）が、この駆出過程で同時に荷重され得る。
【００３３】
図１１では、この駆出過程は既にさらに進行しているが、まだ終了していない。
【００３４】
図１２では、駆出過程は完了しており、力保存手段２４は弛緩されている。駆出動作の終了時に、ロック要素４は緩衝要素２６に接触する。駆出スライダ１７は、惰性または手動による前進動作によってガイドトラック２５に沿ってさらに移動され、それによってデテント２７がロック要素４のノーズ３４に到達し接触する。
【００３５】
その後、デテント２７は圧縮バネ２８の力に対抗して、駆出スライダ１７に対して移動される（図１３参照）。
【００３６】
図１４では、駆出スライダ１７の動作もまた完了しており、デテント２７はノーズ３４を越えて移動している。駆出装置３は、筐体に固定されている係合部材１８に、連結延出部２３を介してもはや当接しておらず、可動家具部分２は開位置ＯＳに存在し、そこで可動家具部分２は手によって自由に移動できる。図４による始動位置に再び到達される。
【図１ａ】
0006480950.tif 000002
【図１ｂ】
0006480950.tif 000003
【図２】
0006480950.tif 000004
【図３】
0006480950.tif 000005
【図４】
0006480950.tif 000006
【図５】
0006480950.tif 000007
【図６】
0006480950.tif 000008
【図７】
0006480950.tif 000009
【図８】
0006480950.tif 000010
【図９】
0006480950.tif 000011
【図１０】
0006480950.tif 000012
【図１１】
0006480950.tif 000013
【図１２】
0006480950.tif 000014
【図１３】
0006480950.tif 000015
【図１４】
0006480950.tif 000016